(57)【要約】【課題】設置後の或いは設置前の太陽電池パネルに対して容易に取り付けることができ、雪止め作用、裏面空間の空気（熱量）を排出する作用を付与することができる外設部材、及びそれを用いた外装構造を提供する。【解決手段】本発明は、太陽電池モジュール１０と枠体１１からなる太陽電池パネル１に取り付ける外設部材２であって、取付状態において、前記太陽電池パネル１の枠体１１の側壁部１１２に沿う垂下部２２と、前記枠体１１より上方に延出する起立部２１とからなり、前記垂下部２２を前記枠体１１の側壁部１１２に取り付けて一体化することができることを特徴とする。【選択図】図１
2014177786.tif 000002
【特許請求の範囲】
【請求項１】
太陽電池モジュールと枠体からなる太陽電池パネルに取り付ける外設部材であって、
取付状態において、前記太陽電池パネルの枠体の側壁部に沿う垂下部と、前記枠体より上方に延出する起立部とからなり、
前記垂下部を前記枠体の側壁部に取り付けたことを特徴とする外設部材。
【請求項２】
太陽電池パネルの上面に延設される横片部を有することを特徴とする請求項１に記載の外設部材。
【請求項３】
隣接する太陽電池パネルを離間状に配設して開放部を形成し、該開放部の水下側或いは風上側に請求項１又は２に記載の外設部材を位置させることを特徴とする外装構造。
【請求項４】
太陽電池パネルを下地上に取り付けてなることを特徴とする請求項３に記載の外装構造。
【発明の詳細な説明】
【技術分野】
【０００１】
本発明は、設置後の或いは設置前の太陽電池パネルに対して容易に取り付けることができ、雪止め作用、裏面空間の空気（熱量）を排出する作用を付与することができる外設部材、及びそれを用いた外装構造に関する。
【背景技術】
【０００２】
太陽電池を屋根上に設置或いは屋根材として敷設した場合、降雪等による積雪に対し、以下のような対策が採られている。
例えば特許文献１には、太陽電池モジュールの上面にポリカーボネート等の透明部材からなる雪止め具を配置することが記載され、特許文献２には、雪止部１ｂ及び回転防止部ｂｃを有する雪止め部材１を、フレーム部材３を介して太陽電池モジュール２に固定する構成が記載され、特許文献３には、上方に突条の三角頂部を有する雪止め具６５を取り付ける構造が記載されている。
【先行技術文献】
【特許文献】
【０００３】
【特許文献１】特開２０００−１７８００号公報
【特許文献２】特許３７００６４６号公報
【特許文献３】特開２００５−１３３５０３号公報
【発明の概要】
【発明が解決しようとする課題】
【０００４】
しかしながら、前記特許文献１〜３等に記載の提案では、雪止め具で雪の滑落を防ぐものであるが、雪の滑落を防ぐことにより積雪部分が太陽電池の受光面積を減少させ、その結果、発電量の低下に繋がるという問題があった。なお、前記特許文献１では、雪止め具の遮光を考慮して透明部材を用いたものの、雪止め具にて堰き止められる積雪の遮光については考慮されていなかった。
【０００５】
そこで、本発明は、設置後の或いは設置前の太陽電池パネルに対して容易に取り付けることができ、雪止め作用、裏面空間の空気（熱量）を排出する作用を付与することができる外設部材、及びそれを用いた外装構造を提案することを目的とする。
【課題を解決するための手段】
【０００６】
本発明は、上記に鑑み提案されたもので、太陽電池モジュールと枠体からなる太陽電池パネルに取り付ける外設部材であって、取付状態において、前記太陽電池パネルの枠体の側壁部に沿う垂下部と、前記枠体より上方に延出する起立部とからなり、前記垂下部を前記枠体の側壁部に取り付けて一体化することができることを特徴とする外設部材に関するものである。
【０００７】
また、本発明は、前記外設部材において、太陽電池パネルの上面に延設される横片部を有することを特徴とする外設部材をも提案する。
【０００８】
さらに、本発明は、隣接する太陽電池パネルを離間状に配設して開放部を形成し、該開放部の水下側或いは風上側に前記外設部材を位置させることを特徴とする外装構造をも提案するものである。
【０００９】
また、本発明は、前記外装構造において、太陽電池パネルを下地上に取り付けてなることを特徴とする外装構造をも提案する。
【発明の効果】
【００１０】
本発明の外設部材は、枠体の側壁部に沿わせて取り付ける垂下部と枠体より上方に延出する起立部とを有するので、設置後又は設置前の太陽電池パネルの側方から沿わせると共に容易に取り付けして一体化することができる。
そして、外設部材の取付けは、垂下部を、枠体の支持部にではなく側壁部に取り付けるため、太陽電池モジュールの支持や保持に影響を与えることがなく、取り付けることができる。また、外設部材の起立部は、雪止め具として作用させることができ、太陽電池パネルの裏面空間内の空気を排出する作用も果たすので、太陽電池パネルの裏面空間内の排熱が円滑に行え、太陽電池セルの発電効率の低下を抑制することができる。
【００１１】
また、太陽電池パネルの上面に延設される横片部を有する場合には、太陽電池パネルの枠体の側壁部に沿わせる垂下部に加え、太陽電池パネルの上面にこの横片部が沿うため、より安定に外設部材を取り付けることができる。
【００１２】
さらに、隣接する太陽電池パネルを離間状に配設して開放部を形成し、該開放部の水下側或いは風上側に前記外設部材を位置させた本発明の外装構造は、前述の効果を有する外装構造となり、太陽電池パネルを敷設した新設屋根には勿論のこと、太陽電池パネルを敷設してなる既設屋根にも容易に適用できる。
【００１３】
また、太陽電池パネルを下地上に取り付けてなる外装構造は、特に既設の種々の屋根下地に対して前記外設部材を備える太陽電池パネルを取り付け、前述の効果を有する外装構造とすることができる。
【図面の簡単な説明】
【００１４】
【図１】（ａ）折板屋根上に敷設した太陽電池パネルに本発明の一実施例（第１実施例）の外設部材を取り付けた状態を示す斜視図、（ｂ）それに用いた持出金具の拡大斜視図である。
【図２】（ａ）第１実施例の外設部材を示す拡大斜視図、（ｂ）前記外装構造に用いた受け金具を示す拡大斜視図、（ｃ）用いた押さえ部材を示す拡大斜視図である。
【図３】（ａ）第１実施例の外装構造の要部を示す拡大平面図、（ｂ）その拡大正面図、（ｃ）その拡大側面図である。
【図４】（ａ）〜（ｆ）枠体の側壁部への外設部材の垂下部の取付態様のバリエーションを示す断面図である。
【図５】（ａ）〜（ｅ）枠体の側壁部への外設部材の垂下部の取付態様のバリエーションを示す断面図、（ｆ）である。
【発明を実施するための形態】
【００１５】
本発明の外設部材は、太陽電池モジュールと枠体からなる太陽電池パネルに取り付けられ、取付状態において、前記太陽電池パネルの枠体の側壁部に沿う垂下部と、前記枠体より上方に延出する起立部とからなる構成である。そして、前記垂下部を前記枠体の側壁部に取り付けて一体化することができる。
なお、この外設部材は、太陽電池パネルの枠体全てに取り付ける必要はなく、風下側であって、流れ方向の水上側に配設される枠体（＝棟側に位置する枠体）に取り付けられることが望ましい。したがって、以下の説明では、太陽電池パネルの周縁の枠体のうち、棟側に位置する枠体に外設部材を取り付けるものとする。
この構成により、太陽電池パネルの枠体の側壁部に対し、外設部材を側方から容易に沿わせることができ、また容易に取り付けして一体化することができる。しかも、起立部は、雪止め具として作用させることができ、太陽電池パネルの裏面空間内の空気を排出する作用も果たすので、太陽電池パネルの裏面空間内の排熱が円滑に行え、太陽電池セルの発電効率の低下を抑制することができる。
【００１６】
本発明の外設部材の取付対象である太陽電池パネルは、結晶系等の太陽電池セルをガラス等に積層させてモジュール化したものであっても、アモルファス等の薄膜のものであってもよく、薄膜等にあっては、基材となる金属板等に一体化してシート状（板状）或いはボード状にしたものであってもよい。
また、太陽電池パネルは、上記のモジュールの周縁に枠体（フレーム）を配してなり、この枠体は、前記モジュールの周縁を支持する支持部と、下方へ垂下する側壁部とを有する。この側壁部には、外設部材を沿わせて取り付けるので、その取付態様に応じた形状構成を具備させたものでもよい。例えばビス等による直止めする場合や接着する場合などには単なる縦片状でよいが、ボルトナットで締め付ける場合には予め所定の位置に取付用の孔を、或いは複数の孔を形成しておくようにしてもよい。また、雌雄等による係合や嵌合等で取り付けるようにしてもよく、或いはそれらの併用であってもよい。
なお、前記の側壁部に複数の孔を形成する態様では、取付用に用いられる孔以外は、裏面空間の空気（熱量）を排出する役割をも果たすため、特に棟側の枠体の内側隅部に滞留する空気（熱量）を外部へ排出することができる。
さらに、発電量を増大させるために両面受光（発電）型の太陽電池を用いてもよく、この場合、太陽電池の下方に反射部を介在させればよく、下地が兼用するものでも別途設けるものでもよい。
【００１７】
この太陽電池パネルの配設において、隣接する太陽電池パネルは、離間状に配設されることが望ましい。後述する図示実施例に示すように、太陽電池パネルの端部を位置規制すると共にその配設間隔を保持することができる取付部材を予め下地に固定し、この取付部材に太陽電池パネルを配設することで、流れ方向に隣接する太陽電池パネルは、一定間隔の離間状に配設することができる。
【００１８】
また、この太陽電池パネルは、陸屋根や庭等に組み付け設置した支持架台上に支持させてもよいし、後述する図示実施例に示すように屋根下地上に所定間隔（裏面空間）を隔てて敷設するようにしてもよい。この屋根下地としては、既存の瓦、スレート、金属等の公知の屋根でも、新たに敷設される瓦、スレート、金属等からなる屋根でも、太陽電池の裏面側に屋根としての雨仕舞性能を有するものが望ましく、その仕様を問うものではなく、例えば塩ビ等の防水シートからなる防水層でもよい。また、金属等によって構成される既存もしくは新設の屋根は、横葺き状、縦葺き（瓦棒葺き、平滑状等）、折板等の如何なるものであってもよい。
これらの下地を構成する部材に直接太陽電池パネルを取り付けてもよいし、各種の取付金具や取付架材、持出金具、横桟、縦桟等の取付具を介して太陽電池パネルを取り付けるようにしてもよい。即ち本発明における下地としては、上述の下地、又はそれに取り付ける取付具等をも含むものである。
【００１９】
本発明は、前述のように取付状態において、前記太陽電池パネルの枠体の側壁部に沿う垂下部と、前記枠体より上方に延出する起立部とからなる外設部材、及びそれを用いた外装構造を提案する。
なお、本発明の外設部材としては、太陽電池パネルの枠体の全長に亘る横長の一部材を取り付けるようにしても、ピース状の複数部材を取り付けるようにしてもよいが、当然のことながら、施工性を考慮した場合には前者が好ましい。
【００２０】
起立部は、取付状態において前記枠体より上方へ延出するものであれば、特にその形状等については限定するものではなく、太陽電池パネルの枠体の長さと略同一の横長状でもよいし、適宜長さであってもよい。更に、この起立部は、太陽電池表面に対して略鉛直状であっても、内側、外側への傾斜状であってもよい。また、起立部は、略平坦状の起立片状でも、弧状（曲面状）又は段状の起立片状でもよい。
【００２１】
垂下部は、前記起立部から垂下する部分を指し、取付状態において、前記枠体の側壁部に沿うものであって、枠体の支持部に沿うものではない。また、後述する図示実施例のように横長な一つの起立部に対し、複数の垂下部を設けるようにしてもよい。また、この垂下部は、縦片状に形成してもよいし、側方又は下方への突出片状に形成してもよく、特にその形状等について限定するものではなく、前記側壁部と同様にその取付態様に応じた形状構成を具備させるようにしてもよい。即ち前述のようにビスによる直止めやボルトナットでの締め付けでも、雌雄等による係合、嵌合、或いはそれらの併用であってもよい。
【００２２】
そして、本発明の外設部材は、起立部を有するため、雪止め作用を果たす。特に前述のように隣接する太陽電池パネルは、離間状に配設されている場合には、雪を太陽電池パネル間へ、或いは該パネル間から裏面空間へ落とすこともできる。
さらに、この起立部は、太陽電池パネルの表面を流れる風（吹き上げ風）に対し、害せ部材を取り付けた枠体の風下に減圧空間が形成され、裏面側の空気（熱量）を吸い出すように排出することができる。このように、太陽電池パネルの裏面空間内の空気を排出することが可能であり、太陽電池パネルの裏面空間内の排熱が円滑に行え、太陽電池セルの発電効率の低下を抑制することができる。
【００２３】
このような構成を有する本発明の外設部材は、枠体の側壁部に沿わせて取り付ける垂下部と枠体より上方に延出する起立部とを有するので、設置後又は設置前の太陽電池パネルの側方から枠体の側壁部に対して垂下部を沿わせると共に容易に取り付けして一体化することができる。この側壁部と垂下部とは、共に縦片状であるため、製造も容易かつ安価でありコストも低減することができる。
また、外設部材の起立部は、雪止め具として作用させることができ、太陽電池パネルの裏面空間内の空気を排出する作用も果たすので、太陽電池パネルの裏面空間内の排熱が円滑に行え、太陽電池セルの発電効率の低下を抑制することができる。
【実施例１】
【００２４】
図１〜図３に示す本発明の第１実施例は、ハゼ組み式の折板屋根３０上に太陽電池パネル１を敷設した外装構造であって、太陽電池パネル１には、枠体１１に図２（ａ）に拡大して示す外設部材２を取り付けた構造である。
【００２５】
前記折板屋根３０は、山部と谷部とを構成する外装材３Ａと、図示しない下地材に固定されて前記外装材３を保持する保持部材３Ｂとからなる。この折板屋根３０を構成する外装材３Ａは、略平坦状の平板部３１の左右に傾斜状に立ち上がる立ち上がり部３２，３２を有し、各立ち上がり部３２の外側へ載置部３３が形成され、該載置部３３の外側を略鉛直状に起立させて起立部３４としたものであり、隣接する外装材３，３の当該部分を重合させてカシメてハゼ部としたものであり、外側に位置する重合部３５と内側に位置する被重合部３５'とした構成である。
【００２６】
この折板屋根３０には、図１（ｂ）に示す左右分割型の（持出金具の）本体４Ａと略ハット型の連結枠体４Ｂと上向きの縦ボルト４Ｃとを一体化してなる持出金具４が取り付けられ、さらにその上面には、図２（ｂ）に示す断面略低ハット状の受け金具５が取り付けられている。この受け金具５に支持させるように太陽電池パネル１が敷設され、その流れ方向の端縁の上面を押さえ部材６で押さえ保持している。
【００２７】
前記持出金具４を構成する本体４Ａは、図１（ｂ）に示すように上端に略平坦状の受けフランジ４１が設けられ、その下方に通孔を有する縦片部分を介して外方へ膨出状の包持部４２が設けられ、さらにその他方に着座部４３が設けられている。
そして、この本体４Ａと連結枠体４Ｂと縦ボルト４Ｃとは、係合状に組み合わされ、その着座部４３を折板屋根３０の載置部３３上に受支させると共に、その包持部４２がハゼ部３５，３５'を覆うように配置した状態で前記縦片部分に設けた通孔に連結具４４を締着することにより一体化され、折板屋根３０上に太陽電池パネル１を敷設するための基準面を構成する。
【００２８】
前記受け金具５は、図２（ｂ）に示すように前後の端縁が前記持出金具４の受けフランジ４１に沿わせる受支部５１，５１であり、その間に隆状に形成された固定受部５２が形成され、該固定受部５２の略中央には、前記持出金具４の縦ボルト４Ｃが挿通する孔５２１が形成され、その左右端を折曲した折り曲げ部５２２、５２２が前方及び後方に設けられている。
この受け金具５は、後述する太陽電池パネル１の敷設を容易にするものであって、受支部５１．５１と固定受部５２の端縁（折り曲げ部５２２）が、太陽電池パネル１，１の端縁を係止する位置規制作用を果たす。
【００２９】
前記太陽電池パネル１は、太陽電池セルをガラス等に積層させてモジュール化し、周縁に枠体（フレーム）１１を配して敷設したものである。この枠体１１は、上端に略コ字状の保持部分１１１を有し、該保持部分から下方へ沿在する縦片状の側壁部１１２を有し、下端には前記受け金具５の受支部５１上に沿わせる着地部分が形成され、この下端（着地部分）が前記受け金具５の受支部５１上に支持される状態で敷設されている。
【００３０】
前記押さえ部材６は、図２（ｃ）に拡大して示すように前後の上方へ折曲されたフランジ状の端縁が太陽電池パネル１の端縁を上方から押さえる押さえ部６１，６１であり、その間に略平坦状の平板部６２が形成され、該平板部６２の略中央には、前記持出金具４の縦ボルト４Ｃが挿通する孔６２１が形成されている。さらに、この平板部６２の左右の側縁を下方へ折曲し、下端が前記受け金具５の固定受部５２に着座する受片部６２２，６２２が形成されている。また、一方（図面手前側）の押さえ部６１の左右に、傾斜状の起立片である取付部６３，６３が設けられている。
【００３１】
この第１実施例の外設部材２は、図２（ａ）に拡大して示すように取付状態において、前記太陽電池パネル１の枠体１１より上方に延出する起立部２１と、枠体１１の側壁部１１２に沿う略垂直な縦片状の垂下部２２と、からなる。この垂下部２２は、複数箇所（４箇所）に形成され、各垂下部２２には、ビス２ｂを取り付ける取付孔２２１が形成されている。
そして、図１（ａ）に示すように前記垂下部２２を前記枠体１１の側壁部１１２に沿わせた状態で側方からビス２ｂを取り付けて一体化することができる。
【００３２】
このような構成の外設部材２は、平板状の金属板材を加工原料として極めて簡単な加工で作成することができる。
即ちこの外設部材２は、金属板材の下端から上方に向かって切り込みを複数箇所に形成し、この切り込みに挟まれる部分を略直角に折り曲げて横片部２３とし、折り曲げない部分を垂下部２２とする。また、切り込み端の上方を傾斜状に折曲すると共にその上端近傍を略水平状に折り曲げて起立部２１としたものである。
【００３３】
これらの各部材からなる外装構造の施工手順を以下に説明する。
まず、ハゼ組み式の折板屋根３０上に、前記構成の持出金具４を一体状に取り付ける。この持出金具４の取付は、予め本体４Ａと連結枠体４Ｂと縦ボルト４Ｃとを一体状に組んだ状態で、前記折板屋根３０に形成されたハゼ部３５，３５'の左右から本体４Ａを組み付けることで半ば自動的に一体化され、縦ボルト４Ｃが持出金具４に立設されるものとなる。
次に、折板屋根３０に取り付けた持出金具４の縦ボルト４Ｃに、前記構成の受け金具５を挿通させて配置する。
続いて、配置させた受け金具５の受支部５１，５１に、前記太陽電池パネル１，１の棟端（下面）、軒端（下面）を支持させて敷設する。
なお、前述のように受け金具５は、受支部５１．５１と固定受部５２との間に折り曲げ部５２２を設けたので、該折り曲げ部（位置規制部）５２２に太陽電池パネル６１端縁を押し当てるように敷設することにより、位置規制が果たされる。
その後、前記構成の押さえ部材６を、平板部６２に設けた孔６２１に、前記持出金具４の縦ボルト４Ｃを挿通させ、ナット４Ｄで固定する。その際、押さえ部６１を敷設した太陽電池パネル１，１の端縁（上面）に沿在するように保持させて固定する。
そして、前記外設部材２の垂下部２２を、敷設した太陽電池パネル１の棟側の枠体１１の側壁部１１２に沿わせると共に横片部２３を太陽電池パネルの１の枠体１１の上面に沿わせ、この状態で、図１（ａ）に図示するように側方（棟側）からビス２ｂを取り付けることにより一体化した。
【００３４】
なお、この外装構造は、前述のように太陽電池パネル１の敷設後に外設部材２を取り付けたが、太陽電池パネル１の配設以前に、ほぼ同様の手順で外設部材２を一体化させた状態で太陽電池パネル１を敷設するようにしてもよい。
【００３５】
このように本発明の外設部材２は、枠体１１の側壁部１１２に沿わせて取り付ける垂下部２２と枠体１１より上方に延出する起立部２１とを有するので、設置後又は設置前の太陽電池パネル１の側方から沿わせると共に容易に取り付けして一体化することができる。そのため、太陽電池パネル１を敷設した新設屋根には勿論のこと、太陽電池パネル１を敷設してなる既設屋根にも容易に適用できる。
また、外設部材２の取付けは、垂下部２２を、枠体１１の支持部１１１にではなく側壁部１１２に取り付けるため、共に縦片状の垂下部２２と側壁部１１２との固定（接合）であるため、太陽電池モジュール１の支持や保持に影響を与えることがなく取り付けることができる。また、外設部材２の起立部２１は、雪止め具として作用させることができ、太陽電池パネル１の裏面空間１２内の空気を排出する作用も果たすので、太陽電池パネル１の裏面空間１２内の排熱が円滑に行え、太陽電池セル１０の発電効率の低下を抑制することができる。
【００３６】
また、この第１実施例の外設部材２は、縦片状に形成した垂下部２２を縦片状の側壁部１１２に接面状に沿わせ、ビス止めして一体化したので、安定に太陽電池パネル１に取り付けられる。
【００３７】
さらに、この第１実施例の外設部材２は、太陽電池パネル１の上面に延設される横片部２３を有するので、太陽電池パネル１の枠体１１の側壁部１１２に接面状に沿わせる垂下部２２に加え、太陽電池パネル１の上面にこの横片部２３が沿うため、より安定に外設部材２を取り付けることができる。
【００３８】
図４（ａ）〜（ｆ）、及び図５（ａ）〜（ｅ）には、枠体１１Ｘ，１１Ｙの側壁部１１２への外設部材２の垂下部２２の取付態様のバリエーションを示す。なお、図４における枠体１１Ｘ、図５における枠体１１Ｙ、及び側壁部１１２は、それぞれ各態様において一部構成が異なるが、取付態様に関与する部位を強調して説明するため、同一符号にて表記している。
【００３９】
図４（ａ）〜（ｆ）に示す各態様において、外設部材２Ａ〜２Ｆにおける起立部２１'（２１"）は略垂直状である点で共通し、特に図４（ａ）〜（ｄ）の態様は、垂下部に設けた嵌合部２２ａ〜２２ｄを枠体１１Ｘの側壁部１１２に設けた嵌合受部１１ａ〜１１ｄに嵌合させて取り付ける点でも共通する。
【００４０】
図４（ａ）に示す態様は、枠体１１に側方へ突出する膨出部として嵌合受部１１ａが設けられ、それと嵌合する嵌合部２２ａは側方が開放する溝状部として形成されている。なお、この態様における垂下部は、前記起立部２１'の下方に位置して前記嵌合部２２ａを含む部分を指す。
【００４１】
図４（ｂ）に示す態様は、枠体１１Ｘに側方へ突出状に側方が開放する溝状部が嵌合受部１１ｂとして設けられ、それと嵌合する嵌合部２２ｂは側方へ突出する膨出部として形成されている。なお、この態様における垂下部は、前記起立部２１'の下方に位置して前記嵌合部２２ｂを含む部分を指す。
【００４２】
図４（ｃ）に示す態様は、枠体１１Ｘに側方へ突出状に上方が開放する溝状部として嵌合受部１１ｃが設けられ、それと嵌合する嵌合部２２ａは下方へ突出する膨出部として形成されている。なお、この態様における垂下部は、前記起立部２１'の下方に位置して前記嵌合部２２ｃを含む全ての部分を指す。
【００４３】
図４（ｄ）に示す態様は、枠体１１Ｘに側方へ突出状に所定幅の溝状部分である嵌合受部１１ｄが設けられ、それと嵌合する嵌合部２２ｄは、下端と中段突状部とで形成される所定幅の嵌め込み部分である。なお、この態様における垂下部は、前記起立部２１'の下方に位置して前記嵌合部２２ｄを含む全ての部分を指す。
【００４４】
図４（ｅ）に示す態様は、外設部材２Ｅの垂下部２２ｅ自体は略垂直な縦片状に形成される点では前記第１実施例と同様であるが、枠体１１Ｘの側壁部１１２には、側方が開放する溝状部１１ｆが形成され、該溝状部１１ｆにボルト２ｃが保持され、前記枠体１１Ｘの側壁部１１２に前記垂下部２２ｅを沿わせた状態で前記ボルト２ｃにナット２ｄを締め付けて固定した構成である。
【００４５】
図４（ｆ）に示す態様は、枠体１１Ｘの上端に側方へ突出状に所定幅の溝状部が嵌合受部１１ｆとして設けられ、それと嵌合する嵌合部２２ｆは側方へ突出する膨出部として形成されている点では前記図４（ｂ）と同様である。この態様では、起立部２１"が略Ｌ字状であり、押さえ部材６'の押さえ部６１で支持部１１１を押さえると共にその先端に形成した押さえ片６１１にて前記略Ｌ字状の起立部２１"も押さえ保持する。
【００４６】
図５（ａ）〜（ｅ）に示す各態様において、隣接する太陽電池パネル１，１間には、戦線で示す押さえ部材６が起立状のボルト６ｂにナット６ｃを締め付けて固定される構成であるが、この構成については、特に説明を省略する。
【００４７】
図５（ａ）に示す態様は、垂下部２２の上端及び下端に横片部２３，２４が設けられ、枠体１１Ｙを上下から保持できる構造であり、図５（ｂ）に示す態様は、これら横片部２３，２４が形成されない構成であるが、何れも略垂直な縦片状である垂下部２２を枠体１１Ｙの側壁部１１２に接面状に沿わせてビス止め（ビス２ｂ）する構成である。また、これらの態様は、外設部材２Ｇ，２Ｈの起立部２１ｇ，２１ｉが外側に傾斜する傾斜片状である点でも共通する。
図５（ｃ）に示す態様も、外設部材２Ｉの垂下部２２を枠体１１Ｙの側壁部１１２に対してビス止めする点については共通するが、この外設部材２Ｉの起立部２１ｉは、外側への傾斜状であり、弧状（曲面状）に成形された例である。
【００４８】
図５（ｄ）に示す態様は、枠体１１Ｚに側方へ向く嵌合溝１１ｊが形成され、該嵌合溝１１ｊに外設部材２Ｊの垂下部に形成した嵌合凸部２２ｊを嵌合させて取り付ける構成である。なお、この態様における垂下部は、基端が太く先端が細く形成された起立部２２ｊの下方に位置して前記嵌合凸部２２ｊを含む全ての部分を指す。
【００４９】
図５（ｅ）に示す態様は、枠体１１"に側方へ隆出する隆出部が形成され、該隆出部の上面及び側面に沿うように略Ｌ字状に垂下部２２ｋが形成され、上方からビス打ちして取り付けられる構成である。なお、この態様における側壁部１１２"は、支持部１１１の下方に位置して前記隆起部を含む全ての部分を指し、垂下部２２ｋは、前述のように略Ｌ字状を指す。
【００５０】
図５（ｆ）は、三つの態様を例示として示した。まず、左端及び右端の態様に示すように枠体１１を構成する支持部１１１は、コ字状でもよいし、中央の態様に示すように逆Ｌ字状でもよく、その場合、図示しない太陽電池パネル１の端縁を載置状に支持させればよい。また、これらの三つの態様では、何れも垂下部１１２を何れも略鉛直な縦片状に成形したが、前述した図４や図５の態様のようにどのように形成してもよい。さらに、左端及び中央の態様では、垂下部１１２の下端に横片部１１４を設け、太陽電池モジュール１０以外の電気的設備等を支持する部分としてもよい。
【符号の説明】
【００５１】
１  太陽電池パネル
１０  太陽電池モジュール
１１  枠体
１１１  支持部
１１２  側壁部
１５  開放部
１６  裏面空間
２，２'，２Ａ〜２Ｋ    外設部材
２１  起立部
２２  垂下部
３０  折板屋根
３Ａ  外装材
４  持出金具
４Ａ  本体
４Ｂ  連結枠体
４Ｃ  縦ボルト
５  受け金具
５１  受支部
５２  固定受部
６  押さえ部材
６１  押さえ部
６２  平板部
６３  取付部
【図１】
2014177786.tif 000003
【図２】
2014177786.tif 000004
【図３】
2014177786.tif 000005
【図４】
2014177786.tif 000006
【図５】
2014177786.tif 000007